(57)【要約】  【課題】  ナットの上方でボルトに装着することで、容易かつ迅速にナットの確実な緩み止めを行うことのできるクリップを提供する。  【解決手段】  両端部が交差するリング状のクランプ部２に、該クランプ部２の内周面よりも径方向内方に突出された係止部３を設け、クランプ部２をボルト６に装着した際に係止部３をボルト６のねじ溝に係合させる。クランプ部２の両端にはつまみ部４，５を設け、これらつまみ部４，５を近接させることでクランプ部２を拡げてボルトに装着する。【選択図】  図１
2009299704.tif 000002
【特許請求の範囲】
【請求項１】
ボルトに装着されたナットの緩みを防止するために該ナットの上方でボルトに装着されるナット緩み止めクリップであって、両端部が交差するリング状のクランプ部と、該クランプ部の内周面よりも径方向内方に突出された係止部と、クランプ部の一端に設けられた第１操作部と、クランプ部の他端に設けられた第２操作部とを備え、クランプ部の内径はボルトの外径よりも小さく、第１及び第２操作部を互いに接近させることによりクランプ部の内径をボルト外径よりも大きくし得るようにクランプ部は弾性材料からなり、前記係止部は、ボルトのねじ溝に係合することを特徴とするナット緩み止めクリップ。
【請求項２】
請求項１に記載のナット緩み止めクリップにおいて、前記係止部は、ナットが緩む方向にクランプ部がボルトに対して回転することを防止するように、クランプ部からナット緩み方向に向けて突出されていることを特徴とするナット緩み止めクリップ。
【請求項３】
請求項１又は２に記載のナット緩み止めクリップにおいて、前記係止部は、クランプ部の周方向中心部よりもナット緩み方向側の位置でクランプ部に設けられていることを特徴とするナット緩み止めクリップ。
【請求項４】
請求項１，２又は３に記載のナット緩み止めクリップにおいて、前記係止部は、クランプ部の下端部に設けられていることを特徴とするナット緩み止めクリップ。
【請求項５】
請求項１〜４のいずれか１項に記載のナット緩み止めクリップにおいて、前記クランプ部は、バネ鋼からなる帯板をリング状に変形させてなることを特徴とするナット緩み止めクリップ。
【請求項６】
請求項１〜５のいずれか１項に記載のナット緩み止めクリップにおいて、前記第１及び第２操作部は、クランプ部の周方向両端部から径方向外方に突出するつまみ部からなることを特徴とするナット緩み止めクリップ。
【発明の詳細な説明】
【技術分野】
【０００１】
本発明は、ナットの緩み止めを行うためにボルトに装着されるナット緩み止めクリップに関する。
【背景技術】
【０００２】
本願発明者は、Ｕナットやハードロックナット（登録商標）など、代表的な緩み止めナットの発明者でもある。Ｕナットはシングルナットであるため利便性が高いが、十分な緩み止め作用を発揮できない。一方、ハードロックナットは偏心凹凸嵌合する上下ナットのくさび効果によって極めて強力な緩み止めを行い得るものであるが、施工が煩雑であるとともに重量が大きくなるという欠点を有している。
【０００３】
シングルナットでありながら大きな緩み止め作用を発揮することができ、かつ繰り返し使用にも耐えるものが要望されている中、本願発明者は、特許文献１に記載の緩み止めナットを開発し、製造販売している。
【特許文献１】特開平１０−２８６６４９
【発明の開示】
【発明が解決しようとする課題】
【０００４】
上記特許文献１に記載の緩み止めナットも実用性が高いものではあるが、六角ナット部の上部に円錐台形状のかしめ部が存在するためナット全高が比較的高くなり、狭小な場所への取り付け性が良好ではないとともに、ボルトへの螺合初期からトルクが発生するプリベリングトルクナットの一種であるため、ナット締結作業に手間を要する。
【０００５】
そこで、本発明は、ナットの上方でボルトに装着することで、容易かつ迅速にナットの確実な緩み止めを行うことのできるナット緩み止めクリップを提供することを目的とする。
【課題を解決するための手段】
【０００６】
本発明は、上記目的を達成するために、次の技術的手段を講じた。
【０００７】
即ち、本発明は、ボルトに装着されたナットの緩みを防止するために該ナットの上方でボルトに装着されるナット緩み止めクリップであって、両端部が交差するリング状のクランプ部と、該クランプ部の一端に設けられた第１操作部と、クランプ部の他端に設けられた第２操作部とを備え、クランプ部の内径はボルトの外径よりも小さく、第１及び第２操作部を互いに接近させることによりクランプ部の内径をボルト外径よりも大きくし得るようにクランプ部は弾性材料からなることを特徴とするものである。
【０００８】
かかる本発明によれば、ナットをボルトに締結後に、ナットの上方でボルト軸部にクランプ部を外嵌し、該クランプ部によってボルト軸部を締付けることにより、ボルト軸の軸方向所定位置でクリップが固定され、該クリップの下端部がナット上面に当接することでナットの緩みを防止できる。また、第１及び第２操作部を操作することによって容易にクリップをボルト軸に着脱することが可能である。
【０００９】
本発明のクリップにおいて、クランプ部の内周面よりも径方向内方に突設された係止部をさらに備えることができる。該係止部は、ボルトのねじ溝に係合することによって、クリップがボルト軸に対して軸方向上方（即ち、ナット緩み方向）に移動することを防止し、より確実にナットの緩みを防止できる。
【００１０】
また、前記係止部は、ナットが緩む方向にクランプ部がボルトに対して回転することを防止するように、クランプ部からナット緩み方向に向けて突出されているものであってよい。これによれば、クランプ部がナットとともに緩み方向に回転しようとすると、係止部がねじ溝に食い込むように作用し、このような回転が阻止され、より確実にナットの緩みを防止できる。
【００１１】
また、前記係止部は、クランプ部の周方向中心部よりもナット緩み方向側の位置でクランプ部に設けてもよいし、クランプ部の周方向中心部よりもナット緩み方向とは反対側の位置でクランプ部に設けてもよい。また、係止部は周方向複数箇所に設けられていてもよく、周方向一箇所のみに設けられていてもよい。
【００１２】
また、前記係止部は、クランプ部の下端部に設けることができる。これによれば、ナット上端部とボルトのねじ山との間に係止部が挟み込まれることで、係止部が固くその位置でロックされ、より確実にナットの緩みを防止できる。
【００１３】
また、前記クランプ部は、バネ鋼からなる帯板をリング状に変形させてなるものであってよい。これによれば、安価かつ容易に製造できる。また、前記第１及び第２操作部は、クランプ部の周方向両端部から径方向外方に突出するつまみ部からなるものとすることができ、これによれば指でつまんで容易かつ迅速にクランプ部の拡径操作を行うことができる。
【発明の効果】
【００１４】
本発明によれば、クリップをナットの上方でボルトに装着することで、容易かつ迅速にナットの確実な緩み止めを行うことのできる。
【発明を実施するための最良の形態】
【００１５】
以下、本発明の実施形態を図面に基づいて説明する。
【００１６】
図１〜図３は本発明の一実施形態に係るナット緩み止めクリップ１を示し、該クリップ１は、バネ鋼からなる帯板を両端部が交差するリング状に変形させてなるクランプ部２と、該クランプ部２の内周面よりも径方向内方に突出するようにクランプ部２から突設された係止部３と、クランプ部２の周方向一端に設けられた第１つまみ部４（第１操作部）と、クランプ部２の周方向他端に設けられた第２つまみ部５（第２操作部）とからなる。
【００１７】
上記クランプ部２に外力が作用していないときのクランプ部２の内径はボルト６の外径よりも小さく、第１及び第２つまみ部４，５を互いに接近させることによりクランプ部２の内径をボルト外径よりも大きくし得るようになっている。
【００１８】
上記係止部３は、クランプ部２をボルト６に装着したときにボルト６のねじ溝に係合する。該係止部３は、クランプ部２の下端部に設けられ、ナット７の上端面と、ボルト６のねじ山との間に挟み込まれるようになっている。また、係止部３は、クランプ部２の周方向中心部Ｃよりもナット緩み方向Ａ側の位置でクランプ部２に設けられている。
【００１９】
第１及び第２つまみ部４，５は、樹脂成形品からなり、クランプ部２の周方向端部を径方向外方に折り曲げ加工してなる取付片８にそれぞれ取付け固定されている。これらつまみ部４，５に蛍光性や蓄光性を付与することもでき、これにより各ボルトにクリップ１が取付けられているか否かの確認作業を容易かつ迅速に行うことができる。これは例えば、鉄道軌道の固定に用いられている大量のナットに対し本発明のクリップ１を適用する場合に特に有用である。
【００２０】
本発明は上記実施形態に限定されるものではなく、適宜設計変更できる。例えば、係止部は、クランプ部の内周面に設けられた半球形突起であってもよい。また、クランプ部は、帯板状のものに限らず、ワイヤー状のものを屈曲成形したものであってもよい。また、第１及び第２操作部は、クランプ部の周方向端部に設けられた工具係合孔によって構成することができ、この場合は、ペンチなどの工具の先端を工具係合孔からなる操作部に係合させて、該工具によってクランプ部の拡径操作を行うことができ、これによれば、悪戯などによってクリップが取り外されてしまうことを防止できる。
【図面の簡単な説明】
【００２１】
【図１】本発明の一実施形態に係るナット緩み止めクリップの使用時の斜視図である。
【図２】同クリップの拡大斜視図である。
【図３】同クリップの底面図である。
【図１】
2009299704.tif 000003
【図２】
2009299704.tif 000004
【図３】
2009299704.tif 000005